(57)【要約】【課題】能率よく長靴を乾燥させ、合わせて靴の除菌・脱臭を行うことのできる長靴の乾燥除菌方法とその装置を提供する。【解決手段】収納各室に収納された長靴の先端部に熱風を一定時間吹きつけるとともに、収納各室内空気を循環させる第１工程と、熱風吹き出しを停止して外気を取り入れて収納各室に供給する第２工程と、オゾンを発生させてこのオゾンを収納各室に供給する第３工程とからなることを特徴とする長靴乾燥除菌方法であり、また、区切られた各室の集合体よりなる収納室と、各室下部に位置する吹き出し口と、各室上部に位置する排出口と、熱風送出機およびオゾン発生器と、通気経路可変のためのダンパー機構と、各室と各機器を接続する管路とを有し、熱風送出機より送出された熱風を収納各室内に循環させて、各室に収納された長靴を乾燥させ、冷風通気後にオゾンを各室に供給して除菌・脱臭を行うよう構成したことを特徴とする長靴乾燥除菌装置である。【選択図】      図２
2004243080.tif 000002
【特許請求の範囲】
【請求項１】
収納各室に収納された長靴の先端部に熱風を一定時間吹きつけるとともに、収納各室内空気を循環させる第１工程と、熱風吹き出しを停止して外気を取り入れて収納各室に供給する第２工程と、オゾンを発生させてこのオゾンを収納各室に供給する第３工程とからなることを特徴とする長靴乾燥除菌方法。
【請求項２】
区切られた各室の集合体よりなる収納室と、各室下部に位置する吹き出し口と、各室上部に位置する排出口と、熱風送出機およびオゾン発生器と、通気経路可変のためのダンパー機構と、各室と各機器を接続する管路とを有し、熱風送出機より送出された熱風を収納各室内に循環させて、各室に収納された長靴を乾燥させ、冷風通気後にオゾンを各室に供給して除菌・脱臭を行うよう構成したことを特徴とする長靴乾燥除菌装置。
【発明の詳細な説明】
【０００１】
【発明の属する技術分野】
この発明は、長靴を効率よく乾燥し除菌することのできる装置に関する。
【０００２】
【従来の技術】
従来より、長靴の乾燥装置があるが、いずれも長靴の履き口に温風を吹きつけるものであり、本発明にて示すように、長靴の先端部分に熱風を吹きつけるとともに、オゾンによる除菌・脱臭機能を有する乾燥装置は見当たらない。
【０００３】
【発明が解決しようとする課題】
従来の長靴乾燥装置には以下に示す種々の問題があった。
１．靴１足に対し１室を割り当てるタイプの乾燥装置では、温風を吹き込むためのファンが各室に設けられたものが多く、製作コストおよびランニングコストが大である。
２．長靴の履き口方向に温風を吹きつけるタイプが多く、靴先端まで温風が行き渡りにくく、長い乾燥時間が必要である。
３．長靴を逆さにして温風吹き出し口に引っかけて乾燥させるタイプがあるが、作業性が悪く、外観上も好ましくない。
４．靴収納部分が１足ごとに仕切られず、上下のみ仕切ったタイプでは、各人の靴が混在し、管理・収納性に難がある。
５．上記の上下仕切タイプでは、各仕切った部屋に複数の靴が収納されており、その部屋に各々１個の温風吹き出し口および排出口が設けられることが多く、吹き出し口と靴との距離にばらつきが生じて各靴の均一乾燥が得られない。
本発明は、以上のような従来からの長靴乾燥手段に関わる課題を解決するために発明されたもので、温風の吹き出し方向とその配置を工夫し、かつオゾン発生器を併用することにより、乾燥時間の短縮化とその均一性、靴の収納性、除菌脱臭効果を併せ持った有用なる装置を提供することを目的として開発されたものである。
【０００４】
【課題を解決するための手段】
課題を解決する手段として本発明は、収納室と熱風送出機とオゾン発生器と、ダンパー機構と各管路とを備えてその主要部を構成した。
すなわち、本発明の一つは、収納各室に収納された長靴の先端部に熱風を一定時間吹きつけるとともに、収納各室内空気を循環させる第１工程と、熱風吹き出しを停止して外気を取り入れて収納各室に供給する第２工程と、オゾンを発生させてこのオゾンを収納各室に供給する第３工程とからなることを特徴とする長靴乾燥除菌方法である。
また本発明の他の一つは、区切られた各室の集合体よりなる収納室と、各室下部に位置する吹き出し口と、各室上部に位置する排出口と、熱風送出機およびオゾン発生器と、通気経路可変のためのダンパー機構と、各室と各機器を接続する管路とを有し、熱風送出機より送出された熱風を収納各室内に循環させて、各室に収納された長靴を乾燥させ、冷風通気後にオゾンを各室に供給して除菌・脱臭を行うよう構成したことを特徴とする長靴乾燥除菌装置である。
【０００５】
【実施例】
以下、本発明の実施例について説明する。
図において１は長靴を収納するための収納室で、靴１足が収納可能な各室の集合体である。各室には開閉の扉２と靴載置のための多孔板３が備えられる。
また、各室の奥壁面の上部に排出口４が、下部に吹き出し口５が各々設けられる。６は通気室で、収納室と一体に設けられる隔離した空間部分である。
７は熱風送出機で、内部にファンと電熱ヒーター（図示略）が収納され、ヒーターにて加熱された空気をファンで送出する機能を有している。８はオゾン発生器（内部図示略）で、熱風送出機の近傍に設けられ、送風管路９にて接続される。
以上の熱風送出機とオゾン発生器は収納室上面に各々設置される。
１０は送風管路で、オゾン発生器にその一端が接続され、水平に張り出した後に収納室側面に沿って下降し、水平に張り出す枝管部分１１が複数本設けられる。
この枝管部分は各室の下部に沿って通気室内を水平に伸び、その先端は閉塞されている。また、枝管適所には各室の配置に対応して角穴が複数個設けられ、この角穴は前記の吹き出し口５に密着固定される。
１２は排気管路で、通気室の両端近傍上面に設けた孔に接続固定され、その中間部側面に接続管路１３が設けられ、熱風送出機と排気管路が通気接続される。
以上の装置構成により、熱風送出機より送出された熱風が送風管路９および１０を経て吹き出し口５より各室に吹き出し、長靴に当たった後に排出口４より排出され、通気室を通過して排気管路１２を経て熱風送出機にもどる一連の通気路が構成される。
【０００６】
前記した接続管路１３には通気経路可変のためのダンパー機構が備えられる。
図において、１４および１５は接続管路側面に設けられる角穴状の開口部、１６は開口部１４の外面に接して位置し、開口部を覆うサイズの角形板体よりなる外ダンパー、１７は開口部１５の内面に接して位置する内ダンパーである。
これらのダンパー下部は蝶番１８および１９にて接続管路側面に開閉自在に設けられる。外ダンパーと内ダンパーは適宜支持部材を介して内リンク板２０にて回動可能に接続され、また外ダンパーは外リンク板２１にてラック２２に回動可能に接続される。
接続管路に近接してダンパー駆動部２３が収納室上面に設置される。
このダンパー駆動部は、モーター２４と、このモーターの駆動軸に取り付けられるピニオン２５と、ピニオンに噛み合うラック２２とから構成され、以上の構成によりダンパー駆動が可能となる。
すなわち、モーター駆動によりラックは平行移動し、このラックに接続されている外リンク板そして外ダンパーを介して外リンク板に接続されている内リンク板の移動にて図５〜図６に示すように、両ダンパーの開閉が行われる。
以上が本発明の一実施例である。
【０００７】
本例の使用に際しては、まず収納室の扉を開けて乾燥しようとする長靴を収納する。このとき、靴先端を奥に位置させて収納する。
次ぎに、熱風送出機を駆動させるとヒーターにより熱せられた空気がファンにより送出され、送風管路９，オゾン発生器８，送風管路１０，枝管部分１１を経て吹き出し口５より収納各室内に吹き出し、長靴の先端に当たって加熱する。
長靴先端内の湿った空気はこの加熱により温度が上昇して上方に向かって移動する対流が起こり、長靴の履き口から外へ出ることとなる。
収納各室の上部には排出口が設けられているので、この部分より排出され、通気室を経て排気管路により熱風送出機へともどる。
このように熱風が収納各室内を循環し、熱風送出機からは８０度〜９０度の熱風が送出されるので、長靴は暖められて乾燥する。また、長靴は多孔板上に載置され、吹き出し口より送出される熱風は靴先端に当たるとともに多孔板下方へも回り込むので、靴底にも熱風が当たってより能率的に乾燥させることができる。
この乾燥は２時間ほど行われ、次ぎにヒーターを止めて送風だけ行う冷風送出時間が設けられ、１時間ほど冷風送出が行われて収納室温は約３０度以下の状態となる。
このとき、ダンパー操作によりダンパーは図６の状態となり、すなわち、収納室からもどった温風は内ダンパーに接して外部へと放出され、外ダンパーにて外気が熱風送出機内へと取り込まれ、ファンにより送出されて冷風として収納各室内に送り込まれる。そして冷風送風を開始して１時間ほどあとにオゾン送出を行う。
つまりオゾン発生器を作動させ、冷風送風の中にオゾンが混じりあって送出され、収納各室に行きわたり、靴の除菌と脱臭が行われる。
以前よりオゾンには除菌や脱臭効果のあることが知られており、このオゾンにて当初の効果が得られる。このオゾン発生および送出は約２０分間ほどで終了し、すべての工程が完了する。なお、実際的には、タイマー装置（図示略）を設けて、自動運転にてこれらの各工程が行われる。
【０００８】
本発明の概要については既述したが、本発明は靴のつま先に熱風を当てて乾燥させるところにその特徴がある。
従来方式では靴の履き口方向から温風を吹き込む方式が多いが、靴の先端は閉塞袋状のため、温度がつま先まで行きわたりにくく、その他の部分の乾燥が終わっていてもこのつま先部分の乾燥に時間がかかっていた。
しかるに本発明は従来方式と異なり、つま先部分を重点的に加熱するため従来法に比べより短時間で長靴を乾燥させることができるのである。
また、熱風送出後に冷風送出時間を設け、その後に冷風とともにオゾンを送出する方式をとっている。これはオゾンは酸素原子が過剰に結合した気体のため、温度が高ければ早期に通常の酸素に分解してしまい、オゾン特有の効果が薄くなる。これを避けるために冷風送出にて３０度以下に管路内気温を下げてからオゾン送出を行い、オゾン効果が十分発揮されるよう配慮している。
このとき、冷風状態を得るために、既述のダンパー機構を設けて、温風を外に放出するとともに外気導入を行い、十分な冷風が得られる環境を配備している。
本発明は各室個別に通気が行われ、送出ファンは１個所のみでよいので乾燥のばらつきはなく、ランニングコスト的にも有利なものとなった。
以上のごとく、本発明により能率的な靴乾燥とともに靴の除菌・脱臭も行うことのできる有用な方法および装置を得ることができる。
なお、長靴以外の他の形状の靴に対しても同様の効果を得ることができる。
【０００９】
【発明の効果】
本発明は下記の効果を有する。
１．長靴先端の加熱方式のため、靴の乾燥時間が短縮され、各室共通通気のためランニングコストを下げることができる。
２．各室に長靴を収納し、各室に熱風等を供給するので乾燥度合いの均一化ができる。
３．オゾン供給も行うので、除菌・脱臭効果が得られ、冷風通気による収納各室の室温低下後にオゾンを供給するので、除菌・脱臭効果を高めることができる。
【図面の簡単な説明】
【図１】本発明の平面図
【図２】本発明の正面図
【図３】本発明の左側面図
【図４】本発明のＡ−Ａ断面における内部構造説明図
【図５】本発明のダンパー機能説明図
【図６】本発明のダンパー機能説明図
【図７】本発明の乾燥作用説明図
【符号の説明】
１  収納室
２  扉
３  多孔板
４  排出口
５  吹き出し口
６  通気室
７  熱風送出機
８  オゾン発生器
９  送風管路
１０送風管路
１１枝管部分
１２排気管路
１３接続管路
１４開口部
１５開口部
１６外ダンパー
１７内ダンパー
１８蝶番
１９蝶番
２０内リンク板
２１外リンク板
２２ラック
２３ダンパー駆動部
２４モーター
２５ピニオン
【図１】
2004243080.tif 000003
【図２】
2004243080.tif 000004
【図３】
2004243080.tif 000005
【図４】
2004243080.tif 000006
【図５】
2004243080.tif 000007
【図６】
2004243080.tif 000008
【図７】
2004243080.tif 000009